(57)【要約】【課題】不使用時の占有面積を小さく抑えながら、電源コードを保護することが可能な電気掃除機を提供すること。【解決手段】外殻体１３内に収容される電動送風機３０と、この電動送風機３０に給電するための電源コード１５とを有する電気掃除機２において、外殻体１３が、電動送風機３０の遠心ファン３２が収容される相対的に太いファン収容部１６と、電動送風機３０の電動機３１が収容される相対的に細い電動機収容部１７と、ファン収容部１６と電動機収容部１７の間に形成される段差部１８とを有し、電源コード１５が段差部１８から外部に引き出されるものであり、ファン収容部１６が上で電動機収容部１７が下となるように床面Ｆに置いたとしても、電動機収容部１７の長さ分、電源コード１５が高い位置から引き出されることになるので、電源コード１５を急激に屈曲させることがなく、この電源コード１５を保護することができる。【選択図】図５
2019205548.tif 000002
【特許請求の範囲】
【請求項１】
外殻体と、この外殻体内に収容される電動送風機と、この電動送風機に給電するための電源コードとを有する電気掃除機において、
前記外殻体が、前記電動送風機の遠心ファンが収容される相対的に太いファン収容部と、前記電動送風機の電動機が収容される相対的に細い電動機収容部と、これらファン収容部と電動機収容部の間に形成される段差部とを有し、前記電源コードが、前記段差部から外部に引き出されることを特徴とする電気掃除機。
【請求項２】
前記電動機が、その回転軸からの距離が長い部分Ａと回転軸からの距離が短い部分Ｂとを有すると共に、前記電源コードが、前記段差部における前記部分Ｂと対向する部位から引き出されることを特徴とする請求項１記載の電気掃除機。
【請求項３】
前記ファン収容部及び電動機収容部がそれぞれ筒状であると共に、前記電源コードが前記ファン収容部及び電動機収容部の軸線方向に引き出されることを特徴とする請求項１乃至２記載の電気掃除機。
【請求項４】
前記電動機収容部の軸線方向端部に接地部が設けられ、前記電源コードの根元部にコードブッシュが設けられると共に、前記段差部から前記接地部先端までの距離が前記コードブッシュの前記外殻体からの突出長さよりも長く形成されることを特徴とする請求項３記載の電気掃除機。
【発明の詳細な説明】
【技術分野】
【０００１】
本発明は、外部電源に接続して使用される電気掃除機に関するものであり、特に、コードリールを有さない比較的小型の電気掃除機に関するものである。
【背景技術】
【０００２】
従来、この種の電気掃除機としては、掃除機本体内に電動送風機が収容され、掃除機本体の後端から電源コードが引き出されたものが知られている（例えば、特許文献１参照。）。このような電気掃除機は、不使用時に掃除機本体の後端が下方となるようにして置かれることが開示されている。また、このような電気掃除機は、手持ち使用されるので、小型化のため、内部にコードリールが設けられない。
【先行技術文献】
【特許文献】
【０００３】
【特許文献１】特開平１０−８０３８２号公報
【発明の概要】
【発明が解決しようとする課題】
【０００４】
しかしながら、このような電気掃除機においては、掃除機本体の後端が下方となるように置くと、電源コードが床等に接して急激に屈曲することになるため、この電源コードが破損してしまう恐れがあった。これを避けるためには、掃除機本体を横置きすることが考えられるが、この場合、不使用時の床等の占有面積が大きくなってしまうという別の問題が生じる。
【０００５】
本発明は以上の問題点を解決し、不使用時の占有面積を小さく抑えながら、電源コードを保護することが可能な電気掃除機を提供することを目的とする。
【課題を解決するための手段】
【０００６】
本発明の請求項１に記載の電気掃除機は、外殻体と、この外殻体内に収容される電動送風機と、この電動送風機に給電するための電源コードとを有する電気掃除機において、前記外殻体が、前記電動送風機の遠心ファンが収容される相対的に太いファン収容部と、前記電動送風機の電動機が収容される相対的に細い電動機収容部と、これらファン収容部と電動機収容部の間に形成される段差部とを有し、前記電源コードが、前記段差部から外部に引き出されるものである。
【０００７】
また、本発明の請求項２に記載の電気掃除機は、請求項１において、前記電動機が、その回転軸からの距離が長い部分Ａと回転軸からの距離が短い部分Ｂとを有すると共に、前記電源コードが、前記段差部における前記部分Ｂと対向する部位から引き出されるものである。
【０００８】
また、本発明の請求項３に記載の電気掃除機は、請求項１乃至２において、前記ファン収容部及び電動機収容部がそれぞれ筒状であると共に、前記電源コードが前記ファン収容部及び電動機収容部の軸線方向に引き出されるものである。
【０００９】
更に、本発明の請求項４に記載の電気掃除機は、請求項３において、前記電動機収容部の軸線方向端部に接地部が設けられ、前記電源コードの根元部にコードブッシュが設けられると共に、前記段差部から前記接地部先端までの距離が前記コードブッシュの前記外殻体からの突出長さよりも長く形成されるものである。
【発明の効果】
【００１０】
本発明の請求項１に記載の電気掃除機は、以上のように構成することにより、不使用時の占有面積を小さく抑えるように、前記外殻体におけるファン収容部が上方で電動機収容部が下方となるように床等に置いたとしても、前記電動機収容部の長さ分、前記電源コードが高い位置から引き出されることになるので、前記電源コードを急激に屈曲させることがなく、この電源コードを保護することができる。
【００１１】
なお、前記電動機が、その回転軸からの距離が長い部分Ａと回転軸からの距離が短い部分Ｂとを有すると共に、前記電源コードが、前記段差部における前記部分Ｂと対向する部位から引き出されることで、前記電源コードを内部構造と干渉させずに外殻体を小型化することができる。
【００１２】
また、前記ファン収容部及び電動機収容部がそれぞれ筒状であると共に、前記電源コードが前記ファン収容部及び電動機収容部の軸線方向に引き出されることで、前記外殻体におけるファン収容部が上方で電動機収容部が下方となるように床等に置いた際に、重力による屈曲が前記電源コードの根元に生じず、前記電源コードをより確実に保護することができる。
【００１３】
更に、前記電動機収容部の軸線方向端部に接地部が設けられ、前記電源コードの根元部にコードブッシュが設けられると共に、前記段差部から前記接地部先端までの距離が前記コードブッシュの前記外殻体からの突出長さよりも長く形成されることで、前記電源コードの根元の屈曲を十分になだらかにして、前記電源コードをより確実に保護することができる。
【図面の簡単な説明】
【００１４】
【図１】本発明の一実施形態を示す電気掃除機の側面図である。
【図２】同、外殻体と電動送風機との位置関係を示す説明図である。
【図３】同、外殻体の段差部の拡大図である。
【図４】同、不使用時の設置状態を示す側面図である。
【図５】同、不使用時の他の設置状態を示す側面図である。
【図６】同、中心軸線と直交する方向から見た電動送風機の外観図である。
【図７】同、中心軸線と直交する他の方向から見た電動送風機の外観図である。
【図８】同、電気掃除機にアダプタ及びアタッチメントを取り付けた電気掃除機システムの側面図である。
【図９】同、電気掃除機システムの不使用時の設置状態を示す側面図である。
【図１０】同、電気掃除機の背面図である。
【図１１】同、アダプタの正面図である。
【発明を実施するための形態】
【００１５】
以下、本発明の実施形態について、図１乃至図１１に基づいて説明する。なお、本実施形態において、図１及び図２における左を前、右を後とする。また、図１及び図２における上下を以下の説明における上下とする。１は電気掃除機システムである。この電気掃除機システム１は、電気掃除機２と、排気利用アダプタ５０と、排気アタッチメント６０とを有する。
【００１６】
前記電気掃除機２は、掃除機本体１０と、集塵容器４０とを有する。前記掃除機本体１０は、胴部１１と、把持部１２とを有する。前記胴部１１は、径の異なる部分を有する略円筒状の外殻体１３を有する。そして、前記胴部１１の前側には、前記集塵容器４０が着脱可能に取り付けられる。また、前記胴部１１の後側には、排気口部１４が設けられる。更に、前記把持部１２は、前記胴部１１の上方に設けられる。そして、前記胴部１１から電源コード１５が引き出される。更に、前記胴部１１の内部には、電動送風機３０が収容される。
【００１７】
前記胴部１１の外殻体１３について詳述する。前記外殻体１３は、前述した通り、径の異なる部分を有する略円筒状に形成される。具体的には、後述する遠心ファン３２が収容されるファン収容部１６と、後述する電動機３１が収容される電動機収容部１７と、これらの間に設けられた段差部１８とを有する。なお、前記ファン収容部１６は、電動機収容部１７に比べ相対的に太い。即ち、前記電動機収容部１７は、ファン収容部１６に比べ相対的に細い。そして、前記電動機収容部１７は、前記ファン収容部１６の後方に設けられる。また、前記ファン収容部１６と電動機収容部１７と段差部１８は、中心軸線Ｘｂを基準として略同軸状に設けられる。なお、前記中心軸線Ｘｂは、前記電動送風機３０の中心軸線Ｘｍと一致する。また、前記ファン収容部１６の前方には、前記集塵容器４０を受ける受部１９が設けられる。また、前記把持部１２の後端部は、前記電動機収容部１７と一体に連結する。更に、前記把持部１２の前端部は、連結部２０によって前記受部１９と連結する。そして、前記段差部１８の下部１８Ｄには脚部２１が設けられると共に、この脚部２１に取付孔部２２が形成される。更に、この取付孔部２２には、前記電源コード１５のコードブッシュ２３が取り付けられる。このコードブッシュ２３は、自然状態、即ち外力が加わらない状態において、前記中心軸線Ｘｂ及び中心軸線Ｘｍと平行である。
【００１８】
前記排気口部１４は、円形の排気口２４と、この排気口２４を囲むように設けられた複数（本実施形態では三つ）の接地部としての脚部２５とを有する。なお、これらの脚部２５は、一つの短筒状の脚部としても良い。これらの脚部２５は、全体として前記中心軸線Ｘｂと同軸状に設けられる。そして、これらの脚部２５の外周面には、それぞれ係合凸部２６が前記中心軸線Ｘｂと直交する方向に突出して設けられる。なお、前記各係合凸部２６は、異なる角度間隔で設けられる。第一係合凹部５４１と第二係合凹部５４２の角度間隔はθ１である。第二係合凹部５４２と第三係合凹部５４３の角度間隔はθ２である。第三係合凹部５４３と第一係合凹部５４１の角度間隔はθ３である。（θ１≠θ２，θ２≠θ３，θ３≠θ１，θ１＋θ２＋θ３＝２π）更に、前記取付孔部２２から前記脚部２５の後端までの中心軸線Ｘｂ方向の距離Ｌ１は、前記コードブッシュ２３の前記取付孔部２２からの突出部分の長さＬ２よりも長い。また、前記脚部２５の突出寸法Ｌ３は、前記電源コード１５の太さＬ４よりも長い。
【００１９】
前記電動送風機３０について詳述する。この電動送風機３０は、電動機３１と遠心ファン３２とを有して構成される。前記電動機３１は、固定子３３と回転子３４と整流子３５とブラシ３６とを有する。なお、前記電動機３１の固定子３３には、回転軸の中心軸線Ｘｍからの距離が長い部分Ａと、中心軸線Ｘｍからの距離が短い部分Ｂが存在する。例えば、前記固定子３３の中心軸線Ｘｍからの寸法は、図６においてＷ１であり、図７においてＷ２である。そして、Ｗ１はＷ２よりも短い。一方、前記遠心ファン３２は、中心軸線Ｘｍと直交するあらゆる方向から見て半径Ｒが同じである。そして、前記電動送風機３０は、その遠心ファン３２が前記外殻体１３のファン収容部１６の内側に配置される。また、前記電動送風機３０は、その電動機３１が前記外殻体１３の段差部１８から電動機収容部１７にかけての内側に配置される。なお、前記電動送風機３０は、前記部分Ｂが上下で且つ前記部分Ａが左右となるように、前記外殻体１３内に収容される。従って、前記電動機３１の固定子３３の下部となる前記部分Ｂから前記段差部１８の下部１８Ｄの内面までの距離は、前記固定子３３の右部又は左部となる前記部分Ａから前記段差部１８の右部又は左部の内面までの距離よりも長い。即ち、前記段差部１８の下部１８Ｄの内側には空間的な余裕がある。このため、前記段差部１８の下部１８Ｄの脚部２１に前記取付孔部２２が設けられ、この取付孔部２２に前記電源コード１５のコードブッシュ２３が固定される。このように、前記段差部１８の下部１８Ｄから前記電源コード１５を引き出すことで、前記掃除機本体１０の内部における配線が前記電動送風機３０と干渉しないので、製造が容易である。また、前記外殻体１３を小型化することができる。更に、前記掃除機本体１０の内部における配線に無理がないので、前記掃除機本体１０内で断線が生じる虞を減ずることができる。
【００２０】
前記集塵容器４０は、前述したように、前記掃除機本体１０の受部１９に対し着脱可能に取り付けられる。そして、前記集塵容器４０は、容器本体４１と、この容器本体４１に接続される導入路４２と、前記容器本体４１内に収容される図示しないフィルタ体とを有する。なお、前記導入路４２の下部には、脚部４３が設けられる。そして、前記電気掃除機２の下部が下方となるように、床面Ｆ等に置いた際に、前記脚部４３と脚部２１とが前記床面Ｆに接する。この際、前記排気口部１４から床面Ｆまでの距離Ｌ５は、前記電源コード１５の太さＬ４よりも長い。即ち、前記電気掃除機２の下部が下方となるように、床面Ｆ等に置く際に、前記電源コード１５が邪魔になることはない。
【００２１】
前記アダプタ５０は、前記排気口部１４に対し着脱可能に取り付けられる。そして、前記アダプタ５０は、流通面積が相対的に大きい入口部としての取付部５１と、流通面積が相対的に小さい出口部としての受筒部５２と、ロックボタン５３とを有する。前記取付部５１の第一中心軸線Ｘ１は、前記アダプタ５０を前記排気口部１４に取り付けた際に、前記外殻体１３の中心軸線Ｘｂと同軸となる。一方、前記受筒部５２の第二中心軸線Ｘ２は、前記第一中心軸線Ｘ１に対し偏心している。なお、第一中心軸線Ｘ１と第二中心軸線Ｘ２は平行である。前記取付部５１の内周面には、複数の係合凹部５４が設けられる。これらの係合凹部５４は、前記排気口部１４の係合凸部２６に対応して設けられる。即ち、前記各係合凹部５４は、異なる角度間隔で設けられる。例えば、第一係合凹部５４１と第二係合凹部５４２の角度間隔は、約１２７度である。第二係合凹部５４２と第三係合凹部５４３の角度間隔は、約１０２度である。第三係合凹部５４３と第一係合凹部５４１の角度間隔は、約１３１度である。従って、前記第一係合凸部２６１が第一係合凹部５４１に、第二係合凸部２６２が第二係合凹部５４２に、第三係合凸部２６３が第三係合凹部５４３係合した状態でのみ、前記アダプタ５０が前記排気口部１４に取り付けられる。この結合状態において、前記受筒部５２の第二中心軸線Ｘ２は、前記取付部５１の第一中心軸線Ｘ１及び前記外殻体１３の中心軸線Ｘｂに対し、前記把持部１２側である上側に偏る。即ち、前記受筒部５２の第二中心軸線Ｘ２は、前記取付部５１の第一中心軸線Ｘ１及び前記外殻体１３の中心軸線Ｘｂに対し、前記電源コード１５が設けられた下側の反対側である上側に偏る。なお、図示しないが、前記各係合凹部５４はＬ字状の溝である。従って、前記アダプタ５０は、前記排気口部１４に対しバヨネット結合される。
【００２２】
前記アタッチメント６０は、前記受筒部５２に対し着脱可能に接続される。詳述すると、前記アタッチメント６０には、図示しない係合凹部が設けられ、この係合凹部に対し前記ロックボタン５３に設けられた係合爪５５が係合することで、前記アタッチメント６０が前記受筒部５２に接続される。なお、前記アタッチメント６０は、図８に示すような、全体が筒状の延長パイプ６１や、図９に示すような、ホース状の部分を有する延長ホース６２が使用可能である。
【００２３】
次に、本実施形態の作用について説明する。まず、前記電気掃除機システム１の電気掃除機２のみを使用する場合、使用者は予め前記掃除機本体１０の受部１９に前記集塵容器４０を取り付けておく。そして、前記電源コード１５を図示しない交流電源に接続し、前記把持部１２を把持して前記電動送風機３０を作動させることで、吸引掃除を行う。なお、吸引掃除は、前記導入路４２から直接塵埃を吸引するように行ってもよく、また、前記導入路４２に図示しない吸引掃除用アタッチメントを装着した状態で行ってもよい。そして、前記導入路４２から吸引された気流に含まれる塵埃は、前記集塵容器４０内で気流から分離されてこの集塵容器４０内に貯められる。塵埃が分離された気流は、前記電動送風機３０を経て前記排気口２４から前記電気掃除機２の外部に排出される。そして、吸引掃除を行う際、使用者は前記電気掃除機２の上部に設けられた前記把持部１２を把持するので、前記電気掃除機２の下部に設けられた前記電源コード１５が邪魔になることがない。
【００２４】
不使用時に、又は一時的に吸引掃除を停止して前記電気掃除機２を置く場合、幾つかの置き方がある。代表的な例として、図４に示すような、前記掃除機本体１０の脚部２１と前記集塵容器４０の脚部４３とが床面Ｆ等に接する置き方と、図５に示すような、前記電気掃除機２の排気口部１４の脚部２５が床面Ｆに接する置き方がある。前者の置き方では、前述した通り、前記排気口部１４から床面Ｆまでの距離Ｌ５が前記電源コード１５の太さＬ４よりも大きいので、前記電源コード１５が邪魔になることがない。また、前記電源コード１５が前記中心軸線Ｘｂと平行に引き出されることで、重力による僅かな屈曲があったとしても、前記コードブッシュ２３部分で前記電源コード１５が床面Ｆに当たって急激に屈曲することがない。このため、前記電源コード１５に大きなストレスが加わらない。後者の置き方では、前述した通り、前記取付孔部２２から前記脚部２５後端までの距離Ｌ１が、前記コードブッシュ２３の突出部分の長さＬ２よりも長いので、前記電源コード１５が床面Ｆに当たって屈曲しても、前記コードブッシュ２３部分が急激に屈曲することがない。このため、前記電源コード１５に大きなストレスが加わらない。なお、前記電源コード１５が前記排気口部１４の下方に入り込むことも起こり得る。しかしながら、前述した通り、前記脚部２５の突出寸法Ｌ３が前記電源コード１５の太さＬ４よりも長いので、この電源コード１５が前記排気口部１４と床面Ｆとで挟まれる虞を減ずることができる。即ち、前記電源コード１５が前記排気口部１４の下方に入り込んだとしても、前記電源コード１５が前記脚部２５同士の間の切欠部を通ることになる。特に、図１０に示すように、前記排気口部１４の下部に、前記脚部２５同士の間の切欠部が位置するので、前記電源コード１５が、その近くにある前記脚部２５同士の間の切欠部を通り易い。このように、前記電気掃除機２を置く際に、前記電源コード１５が破損しにくいようにすることができる。
【００２５】
次に、前記電気掃除機システム１の電気掃除機２の排気口部１４に前記アダプタ５０及びアタッチメント６０を取り付けて使用する場合について説明する。なお、前述した通り、前記アダプタ５０は、前記排気口部１４に対しバヨネット結合される。そして、前述した通り、前記第一係合凸部２６１が第一係合凹部５４１に、第二係合凸部２６２が第二係合凹部５４２に、第三係合凸部２６３が第三係合凹部５４３係合した状態でのみ、前記アダプタ５０が前記排気口部１４に取り付けられる。この際、前記アダプタ５０は、その受筒部５２の中心軸線Ｘ２が前記外殻体１３の中心軸線Ｘｂに対し前記把持部１２側である上方に偏った状態でしか取り付けられない。換言すると、前記アダプタ５０は、その受筒部５２の中心軸線Ｘ２が前記外殻体１３の中心軸線Ｘｂに対し、反電源コード１５側である上側に偏った状態でしか取り付けられない。
【００２６】
前記アダプタ５０の受筒部５２に前記延長パイプ６１を接続して使用する場合、使用者は、吸引掃除を行う場合とは前後逆に前記把持部１２を把持する。即ち、使用者は、前記排気口部１４が前となるように把持する。この状態で前記電動送風機３０を作動させると、前記導入路４２から吸引された気流は、前記電動送風機３０を経て前記排気口２４から前記電気掃除機２の外部に排出される。そして、前記電気掃除機２の外部に排出された気流は、前記アダプタ５０の取付部５１から受筒部５２を経て前記延長パイプ６１から噴出する。この噴出気流を用いて、使用者は地面等に散乱している落ち葉等の塵埃を吹き飛ばすことができる。
【００２７】
この際、噴出気流により、使用者の手に反動が生じる。しかしながら、前記アダプタ５０の受筒部５２の中心軸線Ｘ２が前記外殻体１３の中心軸線Ｘｂよりも前記把持部１２側、即ち使用者の手の側に偏っていることで、噴出気流の反動を使用者の手の近くで受けることになる。このため、噴出気流の反動を抑えて、安定して前記電気掃除機システム１を操作することができる。なお、前記受筒部５２に前記延長ホース６２を接続する場合、一方の手で前記把持部１２を、他方の手で前記延長ホース６２の先端を把持することになる。この場合、噴出気流による反動は、他方の手が受けることになる。また、前記受筒部５２に前記延長ホース６２を接続する場合、使用者は前記把持部１２をどのように把持してもよい。
【００２８】
また、前述した通り、前記アダプタ５０の受筒部５２の中心軸線Ｘ２が前記外殻体１３の中心軸線Ｘｂよりも反電源コード１５側に偏っていると共に、この電源コード１５が前記アダプタ５０よりも下方に位置するので、前記電源コード１５が前記アダプタ５０やアタッチメント６０に絡んでしまうことがない。従って、噴出気流を用いる掃除を良好に行うことができる。
【００２９】
不使用時に、又は一時的に噴出気流を用いる掃除を停止して、前記アダプタ５０やアタッチメント６０を取り付けたまま前記電気掃除機システム１を置く場合、図９に示すように、前記掃除機本体１０の脚部２１と前記集塵容器４０の脚部４３とが床面Ｆ等に接するように置く。なお、前記延長パイプ６１が前記受筒部５２に接続された状態では、前記延長パイプ６１が床面Ｆ等に接し、前記脚部２１が床面Ｆに接しない。従って、この場合、前記電気掃除機システム１を安定して置くことができないので、前記延長パイプ６１、又は前記アダプタ５０と延長パイプ６１の両方を前記排気口部１４から取り外す。一方、前記延長ホース６２が前記受筒部５２に接続されている場合、図９に示すように、ホース状の部分６２Ｈが屈曲するので、前記延長ホース６２を取り付けた状態のまま前記電気掃除機システム１を床面Ｆ等に置くことができる。そして、前記アダプタ５０の受筒部５２の中心軸線Ｘ２が前記外殻体１３の中心軸線Ｘｂよりも反上方に偏っているので、前記延長ホース６２の接続筒部６２Ｔが床面Ｆ等に接するのを防止することができる。これによって、前記アダプタ５０及び延長ホース６２を接続したまま、前記電気掃除機システム１を床面Ｆ等に安定して置くことができる。
【００３０】
以上のように、本発明の電気掃除機２は、外殻体１３と、この外殻体１３内に収容される電動送風機３０と、この電動送風機３０に給電するための電源コード１５とを有する電気掃除機２において、前記外殻体１３が、前記電動送風機３０の遠心ファン３２が収容される相対的に太いファン収容部１６と、前記電動送風機３０の電動機３１が収容される相対的に細い電動機収容部１７と、これらファン収容部１６と電動機収容部１７の間に形成される段差部１８とを有し、前記電源コード１５が、前記段差部１８から外部に引き出されるものであり、不使用時の占有面積を小さく抑えるように、前記外殻体におけるファン収容部１６が上方で電動機収容部１７が下方となるように床面Ｆ等に置いたとしても、前記電動機収容部１７の長さ分、前記電源コード１５が高い位置から引き出されることになるので、前記電源コード１５を急激に屈曲させることがなく、この電源コード１５を保護することができるものである。
【００３１】
また、前記電動機３０が、その回転軸の中心軸線Ｘｍからの距離が長い部分Ａと回転軸からの距離が短い部分Ｂとを有すると共に、前記電源コード１５が、前記段差部１８における前記部分Ｂと対向する部位から引き出されることで、前記電源コード１５を前記電動機３０等の内部構造と干渉させずに、前記外殻体１３を小型化することができるものである。
【００３２】
また、前記ファン収容部１６及び電動機収容部１７がそれぞれ筒状であると共に、前記電源コード１５が前記ファン収容部１６及び電動機収容部１７の中心軸線Ｘｂ方向に引き出されることで、前記外殻体１３におけるファン収容部１６が上方で電動機収容部１７が下方となるように床面Ｆ等に置いた際に、重力による屈曲が前記電源コード１５の根元に生じず、前記電源コード１５をより確実に保護することができるものである。
【００３３】
更に、前記電動機収容部１７の中心軸線Ｘｂ方向端部に接地部としての脚部２５が設けられ、前記電源コード１５の根元部にコードブッシュ２３が設けられると共に、前記段差部１８から前記脚部２５の先端までの距離Ｌ１が前記コードブッシュ２３の前記外殻体１３からの突出長さＬ２よりも長く形成されることで、前記電源コード１５の根元の屈曲を十分になだらかにして、前記電源コード１５をより確実に保護することができるものである。
【００３４】
なお、本発明は以上の実施形態に限定されるものではなく、発明の要旨の範囲内で種々の変形実施が可能である。例えば、上記実施形態では、段差部に脚部を設け、この脚部に取付孔部を設け、この取付孔部に電源コードのコードブッシュを設けたが、脚部を大径部に設け、段差部に直接取付孔部を設け、この取付孔部に電源コードのコードブッシュを設けてもよい。また、上記実施形態では、段差部を、径が連続的且つなだらかに変化する錘面状に構成したが、径が不連続に且つ急激に変化する段状に構成してもよい。更に、上記実施形態では、外殻体を径の異なる部分を有する略円筒状としたが、円筒状以外の筒状、例えば四角筒状や八角筒状等としてもよい。
【符号の説明】
【００３５】
２  電気掃除機
１３  外殻体
１５  電源コード
１６  ファン収容部
１７  電動機収容部
１８  段差部
２３  コードブッシュ
２５  脚部（接地部）
３０  電動送風機
３１  電動機
３２  遠心ファン
Ａ  中心軸線Ｘｍからの距離が長い部分
Ｂ  中心軸線Ｘｍからの距離が短い部分
Ｌ１  電源コード１５の根元から脚部２５の先端までの距離
Ｌ２  コードブッシュ２３の突出長さ
Ｘｂ  中心軸線
Ｘｍ  中心軸線
【図１】
2019205548.tif 000003
【図２】
2019205548.tif 000004
【図３】
2019205548.tif 000005
【図４】
2019205548.tif 000006
【図５】
2019205548.tif 000007
【図６】
2019205548.tif 000008
【図７】
2019205548.tif 000009
【図８】
2019205548.tif 000010
【図９】
2019205548.tif 000011
【図１０】
2019205548.tif 000012
【図１１】
2019205548.tif 000013